(57)【要約】【課題】従来は、相手がデータ通信装置を起動していないためデータ通信が実施できないことがある。また、途中でデータ通信がうまくいかなくなったときのために、データ通信用通信手段と音声連絡用通信手段を持つ必要があった。【解決手段】切替制御部１５からＰＤＣ本体へ出力される携帯制御信号Ｓ１２により、携帯電話（ＰＤＣ）をハンズフリーモードにすると共に、切替信号Ｓ１５によりスイッチ１１及び１３を切替制御して、アナログ音声通信モードとし、音声で相手側端末にパソコン等が接続されているかを確認する。この確認後に、切替信号Ｓ１５により少なくともスイッチ１１をデジタルスイッチ１２に接続して、デジタル通信モードとする。このハンズフリーモードによるアナログ音声通信モードからデータ通信モードへの切替は一連の操作でできるため、使用回線は一本のみで可能である。【選択図】　　　　　　図１
2004048413.tif 000002
【特許請求の範囲】
【請求項１】
電話通信網を介して相手側端末と通信可能な構成で、かつ、データ通信機能と音声通信機能を有し、データポートに入力される携帯制御信号に基づきハンズフリーモードとされる電話端末本体と、
入力アナログ音声信号はデジタル音声信号に変換し、入力デジタル音声信号はアナログ音声信号に変換する変換回路と、
前記電話端末本体のデータポートに接続され、該電話端末本体との間で信号の送受信を行う第１のスイッチと、
前記第１のスイッチのデジタル信号入出力端子を、装置の入出力ポート又は前記変換回路に接続する第２のスイッチと、
前記第１のスイッチから出力されるデジタル音声信号又は前記変換回路から出力されるアナログ音声信号を選択してアナログ音声信号出力端子へ出力する第３のスイッチと、
前記電話端末本体のデータポートに接続され、前記携帯制御信号を前記電話端末本体へ出力して該電話端末本体をハンズフリーモードとするか、該電話端末本体で受信された相手側端末からの携帯制御信号が入力され、前記第１乃至第３のスイッチへ切替信号を出力して切替制御を行う切替制御部と
を有し、前記切替制御部は、アナログ音声信号入力端子からの送話アナログ音声信号を前記データポートへ出力するように前記第１のスイッチを切替制御する共に、前記電話端末本体で受信されて入力された受話アナログ音声信号を、前記第１及び第３のスイッチを通して前記アナログ音声信号出力端子へ出力するよう、前記第１及び第３のスイッチを切替制御するアナログ音声通信モードと、前記データポートと前記入出力ポートの間を接続するように前記第１及び第２のスイッチを切り替え制御するデータ通信モードのいずれかに設定することを特徴とする電話端末装置。
【請求項２】
前記切替制御部は、前記アナログ音声信号入力端子からの送話アナログ音声信号を前記変換回路に入力して得られた送話デジタル音声信号を前記第２及び第１のスイッチを通して前記データポートへ供給すると共に、前記電話端末本体で受信されて入力された受話デジタル音声信号を、前記第１及び第２のスイッチを通して前記変換回路に入力して得られた受話アナログ音声信号を、前記第３のスイッチを通して前記アナログ音声信号出力端子へ出力するよう、前記第１、第２及び第３のスイッチを切替制御するデジタル音声通信モードと、前記アナログ音声通信モード及び前記データ通信モードのいずれかに設定することを特徴とする請求項１記載の電話端末装置。
【請求項３】
前記切替制御部は、前記データ通信モードの途中で不具合が発生したときは、前記アナログ音声通信モードに切り替えることを特徴とする請求項１記載の電話端末装置。
【請求項４】
前記切替制御部は、前記入出力ポートにデジタル情報機器が接続されているときには、前記第２のスイッチを前記第１のスイッチのデジタル信号入出力端子に接続することを特徴とする請求項１乃至３のうちいずれか一項記載の電話端末装置。
【請求項５】
前記切替制御部は、前記入出力ポートにデジタル情報機器が接続されていないときには、前記第２のスイッチを前記変換回路に接続することを特徴とする請求項１乃至３のうちいずれか一項記載の電話端末装置。
【請求項６】
前記切替制御部は、前記携帯制御信号を出力して前記電話端末本体をハンズフリーモードとすると共に前記アナログ音声通信モードとするように前記第１及び第３のスイッチを制御した後、前記携帯制御信号を出力して前記電話端末本体をハンズフリーモードとすると共に前記第１のスイッチを前記第２のスイッチとの間でデジタル信号の伝送を行うデジタル通信モードに切替制御し、更に前記デジタル信号が前記デジタル音声信号かデジタルデータかに応じて前記第２のスイッチを切替制御することを特徴とする請求項２記載の電話端末装置。
【発明の詳細な説明】
【０００１】
【発明の属する技術分野】
本発明は電話端末装置に係り、特に携帯電話のデータ通信機能を用いて、音声信号を通信する電話端末装置に関する。
【０００２】
【従来の技術】
従来の電話端末装置では、データ通信機能と音声通信機能とは分離されており、音声通信を行う場合には、携帯電話本体のマイク／ハンドセットを通して通話する必要があり、他方、データ通信を行う場合は、データポートに専用のアダプタ等を接続して、パーソナルコンピュータ等によるデータ通信を行う必要がある。また、データ通信中は、音声通信を行うことが不可能である。
【０００３】
そこで、従来より、音声通信とデータ通信を１台で行える電話端末装置が知られている（特開平４−２２３７５６号、特開平８−４６５６６号、特開平１０−１６４２５５号各公報）。特開平４−２２３７５６号公報記載の電話端末装置は、音声通信とデータ通信を切り替える切替手段と、回線からの着信信号を検出して補助中央処理装置部に着信検出信号を出力する自動着信検出手段と、補助中央処理装置部を介して回線からのＰＢ信号を入力して符号化するＰＢ信号検出手段と、符号化ＰＢ信号が入力されるとき上記の切替手段をデータ通信に切り替える主要中央処理装置とから構成されており、音声通信とデータ通信を自動的に切り替え、データの自動送受信を行うものである。
【０００４】
また、特開平８−４６５６６号公報には、基地局と移動局の間の無線伝送路を介してデータ通信を行う情報処理装置との間で入出力されるデータの変復調を行うモデムと、モデムによって変復調されるデータに対してＡ／Ｄ変換を行う変換手段と、変換手段によりＡ／Ｄ変換されるデータの入出力を、移動局との間で行うインタフェースと、情報処理装置からの指示に基づいて、移動局の動作を制御する制御手段とを具備し、アナログ方式又はデジタル方式を特定することなく、情報処理装置とデジタル携帯電話を接続してデータ通信を行うシステムが記載されている。
【０００５】
更に、特開平１０−１６４２５５号公報には、電話通信網との接続を行う電話通信網インタフェースと、電話通信網を介して音声通信を行うための音声通信部と、電話通信網を介してネットワークとの通信を行うためのネットワーク通信部と、電話通信網インタフェースに、音声通信部とネットワーク通信部のいずれを接続するかを選択する選択手段とを設けた電話端末装置が開示されており、これにより１台の電話端末装置において、ネットワーク及び音声通話の双方の通信を行うものである。
【０００６】
【発明が解決しようとする課題】
しかしながら、上記の従来の電話端末装置において、データ通信をする場合は、電話端末本体のデータポートを使用し、データ専用モードとして通信することになり、音声通信をすることはできない。このため、相手先がデータ通信可能な状況なのかの確認ができず、データ通信を開始しようとした場合でも、相手がデータ通信装置を起動していないためデータ通信が実施できないことがある。この問題を回避するためには、別の電話等の通信手段を用いて、事前に相手に連絡をとり、データ通信装置を起動しておいてもらう必要がある。
【０００７】
更に、途中でデータ通信がうまくいかなくなったときにおいても、通信状況を確認するためには、その通信とは別の電話等の通信手段を用いて相手先と連絡をとり、相互に状況確認する必要がある。すなわち、従来の電話端末装置では、データ通信用通信手段と音声連絡用通信手段の２種類の通信手段をもつ必要があった。
【０００８】
なお、特開平４−２２３７５６号公報記載の従来の電話端末装置では、着信時に回線を介して入力される相手側からのＰＢ信号により音声通信かデータ通信かに切り替える構成であるため、相手側からの着信時のみ自動的に切り替えられるだけであり、発信時に相手側がデータ通信可能であるか否かの確認や、データ通信途中で通信がうまくいかなくなったときの対応がとれない。
【０００９】
本発明は以上の点に鑑みなされたもので、一つの通信手段にてデータ通信とアナログ音声信号通信に切り替えることにより、通信時の不具合発生時においても別途通信手段を持たずに相互確認ができる電話端末装置を提供することを目的とする。
【００１０】
また、本発明の他の目的は、データ通信の動作中においても、音声情報をデジタルデータ化したデジタル音声通信として、相互に通話をすることを可能とし、一つの通信手段にて音声確認ができる電話端末装置を提供することにある。
【００１１】
【課題を解決するための手段】
本発明は上記の目的を達成するため、電話通信網を介して相手側端末と通信可能な構成で、かつ、データ通信機能と音声通信機能を有し、携帯制御信号に基づきハンズフリーモードとされる電話端末本体と、入力アナログ音声信号はデジタル音声信号に変換し、入力デジタル音声信号はアナログ音声信号に変換する変換回路と、電話端末本体のデータポートに接続され、電話端末本体との間で信号の送受信を行う第１のスイッチと、第１のスイッチのデジタル信号入出力端子を、入出力ポート又は変換回路に接続する第２のスイッチと、第１のスイッチから出力されるデジタル音声信号又は変換回路から出力されるアナログ音声信号を選択してアナログ音声信号出力端子へ出力する第３のスイッチと、電話端末本体のデータポートに接続され、携帯制御信号を電話端末本体へ出力して電話端末本体をハンズフリーモードとするか、電話端末本体で受信された相手側端末からの携帯制御信号が入力され、第１乃至第３のスイッチへ切替信号を出力して切替制御を行う切替制御部とを有する構成としたものである。
【００１２】
ここで、上記の切替制御部は、アナログ音声信号入力端子からの送話アナログ音声信号をデータポートへ出力するように第１のスイッチを切替制御する共に、電話端末本体で受信されて入力された受話アナログ音声信号を、第１及び第３のスイッチを通してアナログ音声信号出力端子へ出力するよう、第１及び第３のスイッチを切替制御するアナログ音声通信モードと、データポートと入出力ポートの間を接続するように第１及び第２のスイッチを切り替え制御するデータ通信モードのいずれかに設定することを特徴とする。この発明では、同じ電話端末本体でアナログ音声通信モード及びデータ通信モードを切り替えて通信できる。
【００１３】
また、上記の目的を達成するため、この発明は、上記の切替制御部を、アナログ音声信号入力端子からの送話アナログ音声信号を変換回路に入力して得られた送話デジタル音声信号を第２及び第１のスイッチを通してデータポートへ供給すると共に、電話端末本体で受信されて入力された受話デジタル音声信号を、第１及び第２のスイッチを通して変換回路に入力して得られた受話アナログ音声信号を、第３のスイッチを通してアナログ音声信号出力端子へ出力するよう、第１、第２及び第３のスイッチを切替制御するデジタル音声通信モードと、アナログ音声通信モード及びデータ通信モードのいずれかに設定する構成としたものである。この発明では、データ通信モードの前又は途中の段階でアナログ音声通信モード又はデジタル音声通信モードに切り替えることができる。
【００１４】
また、上記の目的を達成するため、本発明は、上記の切替制御部を、データ通信モードの途中で不具合が発生したときは、アナログ音声通信モードに切り替える構成としたことを特徴とする。この発明では、アナログ音声通信モードによりデジタル信号系の不具合の確認ができる。
【００１５】
また、上記の目的を達成するため、本発明は、上記の切替制御部を、装置の入出力ポートにデジタル情報機器が接続されているときには、第２のスイッチを第１のスイッチのデジタル信号入出力端子に接続する構成としたことを特徴とする。この発明では、装置の入出力ポートにデジタル情報機器が接続されているときには、デジタル音声通信モードとデータ通信モードのうち、自動的にデータ通信モードに設定することができる。
【００１６】
また、上記の目的を達成するため、本発明は、上記の切替制御部を、装置の入出力ポートにデジタル情報機器が接続されていないときには、第２のスイッチを変換回路に接続する構成としたことを特徴とする。この発明では、装置の入出力ポートにデジタル情報機器が接続されていないときには、デジタル音声通信モードとデータ通信モードのうち、自動的にデジタル音声通信モードに設定することができる。
【００１７】
更に、上記の目的を達成するため、本発明は、上記の切替制御部を、携帯制御信号を出力して電話端末本体をハンズフリーモードとすると共にアナログ音声通信モードとするように第１及び第３のスイッチを制御した後、携帯制御信号を出力して電話端末本体をハンズフリーモードとすると共に第１のスイッチを第２のスイッチとの間でデジタル信号の伝送を行うデジタル通信モードに切替制御し、更にデジタル信号がデジタル音声信号かデジタルデータかに応じて第２のスイッチを切替制御する構成としたことを特徴とする。
【００１８】
この発明では、まず、アナログ音声通信モードで相手側端末にデジタル情報機器が接続されているかどうかを確認し、その後にデジタル通信モードで通信し、第１のスイッチから第２のスイッチへ出力されるデジタル信号がデジタル音声信号かデジタルデータかを確認して、デジタル音声通信モード又はデータ通信モードでの通信が、１種類の回線でできる。
【００１９】
【発明の実施の形態】
次に、本発明の実施の形態について図面と共に説明する。図１は本発明になる電話端末装置の一実施の形態の要部のブロック図、図２は本発明の動作説明用フローチャートである。
【００２０】
図１は電話端末装置の一例としての携帯電話（例えば、電波産業会（Ａｓｓｏｃｉａｔｉｏｎ　ｏｆ　Ｒａｄｉｏ　Ｉｎｄｕｓｔｒｉｅｓ　ａｎｄ　Ｂｕｓｉｎｅｓｓｅｓ：ＡＲＩＢ）規格のＰＤＣ（ｐｅｒｓｏｎａｌ　ｄｉｇｉｔａｌ　ｃｅｌｌｕｌａｒ））のデータポートに接続される音声／データ切替装置（音声データ連接装置）１０のブロック図を示している。すなわち、本実施の形態は、データポートに音声／データ切替装置（音声データ連接装置）１０が接続された、第二世代のデジタル携帯電話（ＡＲＩＢ規格のＰＤＣ）である。
【００２１】
音声／データ切替装置（音声データ連接装置）１０は、ＰＤＣのデータポートに接続され、そのデータポートとの間でアナログ音声信号、デジタル音声信号又はデジタルデータのいずれかを双方向で伝送するデジタル／アナログスイッチ１１と、デジタル／アナログスイッチ１１とこの装置１０のデータポート（入出力ポート）２３との間に接続されるデジタルスイッチ１２と、この装置のアナログ音声出力端子２２とデジタル／アナログスイッチ１１との間に接続されるアナログスイッチ１３と、入力アナログ音声信号をデジタル音声信号に変換して出力し、入力デジタル音声信号はアナログ音声信号に変換して出力するコーデック（ＣＯＤＥＣ）１４と、外部からの指示に従い、上記の３つのスイッチ１１、１２及び１３の切替制御を行う切替信号Ｓ１５を出力すると共に、携帯制御信号Ｓ１２をＰＤＣ本体へ出力する切替制御部１５とから構成される。
【００２２】
デジタル／アナログスイッチ１１は、切替信号Ｓ１５により、ＰＤＣデータポートを、アナログ音声信号入力端子２１とアナログスイッチ１３のアナログ音声信号系と、デジタルスイッチ１２のデジタル信号系のうちの一方に接続するように切り替わる。デジタルスイッチ１２は、切替信号Ｓ１５により、この装置１０のデータポート２３及びＣＯＤＥＣ１４の一方を、デジタル／アナログスイッチ１１に接続するように切り替わる。更に、アナログスイッチ１３は、切替信号Ｓ１５により、デジタル／アナログスイッチ１１の出力アナログ音声信号及びＣＯＤＥＣ１４の出力アナログ音声信号の一方を選択してアナログ音声信号出力端子２２へ出力する。
【００２３】
次に、本実施の形態の動作について、図２のフローチャートを併せ参照して説明する。まず、公知の方法で相手側端末と携帯電話網を介して回線接続後に、切替制御部１５からＰＤＣ本体へ出力される携帯制御信号Ｓ１２により、携帯電話（ＰＤＣ）をハンズフリーモードにすると共に、切替信号Ｓ１５によりデジタル／アナログスイッチ１１がアナログ音声信号系に接続され、アナログスイッチ１３がデジタル／アナログスイッチ１１側に接続されて、アナログ音声通信モードとされる（ステップ１０１）。
【００２４】
携帯電話はハンズフリーモード時は、データポートに入力されたアナログ音声信号又はデジタル音声信号又はデジタルデータＳ１１を、通常の電話機能部を使用して公知の携帯電話網を介して相手側端末へ送信し、一方、携帯電話網を介して相手側端末から送信された信号を受信して、データポートへ出力する。
【００２５】
従って、このハンズフリーモードによるアナログ音声通信モードでは、音声／データ切替装置１０の使用者（ユーザ）の送話音声は、携帯電話のマイク（図示せず）によりアナログ音声信号に変換された後、入力端子２１から入力され、アナログ音声信号Ｓ１９としてデジタル／アナログスイッチ１１に入力され、更にこれより携帯電話のデータポートに入力される。一方、相手側端末からのアナログ音声信号は、携帯電話のデータポートからデジタル／アナログスイッチ１１、アナログスイッチ１３及び出力端子２２を経由して、携帯電話のスピーカ又はレシーバ（いずれも図示せず）により受話音声として発音される。
【００２６】
従って、まず、ハンズフリーモードによるアナログ音声通信モードにより、携帯電話の通常の音声通話が可能となる。この音声通話を通じて、相手側電話端末にデータ端末が接続されているか否かを確認することができる。
【００２７】
これにより、使用者が相手側電話端末にデータ端末が接続されており、データ通信が可能であることを確認すると（ステップ１０２）、切替制御部１５を制御し、携帯制御信号Ｓ１２により、携帯電話（ＰＤＣ）をハンズフリーモードにすると共に、切替信号Ｓ１５により少なくともデジタル／アナログスイッチ１１がデジタルスイッチ１２に接続されて、デジタル通信モードとされる（ステップ１０３）。このハンズフリーモードによるアナログ音声通信モードからデータ通信モードへの切替は一連の操作でできるため、使用回線は一本のみで可能である。
【００２８】
続いて、デジタル／アナログスイッチ１１へ出力されるデジタル信号Ｓ１６が、デジタル音声信号であるのか、デジタルデータであるのか判定し（ステップ１０４）、パーソナルコンピュータ等からのデジタルデータであるときには、切替制御部１５から出力される切替信号Ｓ１５によりデジタルスイッチ１２をこの装置１０のデータポート２３側に切り替え（ステップ１０５）、データポート２３に接続したパーソナルコンピュータ等と相手側電話端末に接続されたデータ端末との間でデジタルデータ通信を行う（ステップ１０６）。
【００２９】
他方、デジタル信号Ｓ１６がデジタル音声であるときには、切替制御部１５から出力される切替信号Ｓ１５によりデジタルスイッチ１２をＣＯＤＥＣ１４側に切り替えると共に、アナログスイッチ１３をＣＯＤＥＣ１４側に切り替える（ステップ１０７）。これにより、携帯電話本体で受信された相手側電話端末からのデジタル音声信号は、そのデータポートからデジタル／アナログスイッチ１１、デジタルスイッチ１２を経由してＣＯＤＥＣ１４に入力され、ここでアナログ音声信号に変換された後、アナログ音声信号Ｓ１８としてアナログスイッチ１３に入力され、更にこれによりアナログ音声信号出力端子２２へ出力される。
【００３０】
一方、この携帯電話端末の使用者の送話音声はマイク（図示せず）によりアナログ音声信号に変換されて、アナログ音声信号入力端子２１を介してＣＯＤＥＣ１４に入力され、ここでデジタル音声信号に変換された後、デジタル音声信号Ｓ１４としてデジタルスイッチ１２に入力され、更に、これよりデジタル／アナログスイッチ１１及び携帯電話（ＰＤＣ）のデータポートを通じて携帯電話本体に入力され、相手側端末へ送信される。
【００３１】
従って、デジタル／アナログスイッチ１１からデジタルスイッチ１２へ出力されるデジタル信号Ｓ１６がデジタル音声であるときには、上記のステップ１０７でのスイッチ切り替えにより、デジタル音声通信が行われる（ステップ１０８）。なお、上記のＣＯＤＥＣ１４は、アナログ音声信号入力時は、例えば８ｋｂｐｓのデジタル音声信号に変換し、デジタル音声信号入力時はアナログ音声信号に変換する回路であり、携帯電話（ＰＤＣ）の使用者に割り当てられている、ビット量である８．４ｋｂｐｓ以下に音声信号を圧縮したり、圧縮音声信号をアナログ音声信号を復元する。
【００３２】
このように、本実施の形態によれば、対向局（相手側端末）との接続確認実施時は、アナログ音声信号により音声通話することにより、相手への確実な指示が実施でき、相手側端末が未準備状態で通信できないという状況の発生を防ぐことができる。また、アナログ音声回線接続後は、別回線を使用することなくデータ通信モードに切り替えたり、デジタル音声モードに切り替えることができるため、データ通信モードに切り替えてデータ通信を行うことができると共に、そのデータ通信中においても、デジタル音声モード又はアナログ音声モードに切り替えて相手側端末と音声通話ができる。
【００３３】
従って、本実施の形態によれば、一種類の通信手段にて、音声通信及びデータ通信の一方を選択して実施でき、データ通信途中で何らかの不具合が発生した場合でも、別回線を用いることなく、モード切替で通信状況を音声で確認をすることができ、データ通信時の作業効率向上や迅速な不具合対処ができる。なお、データ通信途中で何らかの不具合が発生した場合に音声モードに切り替えるときは、通常はアナログ音声モードに切り替える。デジタル音声モードに切り替えるとデジタル信号伝送系の不具合の発生の有無が分らないからである。
【００３４】
なお、上記の説明では、音声／データ切替装置１０から相手側端末へ発信した場合であるが、着信した場合は、相手側端末からの携帯制御信号Ｓ１２が切替制御部１５に供給され、これによりハンズフリーモードによるアナログ音声通信モードとされて音声通話がまず行われる。この音声通話によって、データ通信を行うのか、アナログ音声通信を行うのか、デジタル音声通信を行うのかが分るので、これにより切替信号Ｓ１５によりスイッチ１１、１２及び１３の切替を行うようにしてもよい。
【００３５】
また、データポート２３にパーソナルコンピュータ等のデジタル情報機器が接続されている場合には、前記ステップ１０４での判定では自動的にデジタルデータ入力と判定してデジタルスイッチ１２をデジタルポート２３側に切り替えてデータ通信を行い、デジタル情報機器がデータポート２３に接続されていない時に限り、デジタル音声モードにしてもよい。
【００３６】
なお、本発明は以上の実施の形態に限定されるものではなく、アナログ音声モードとデジタル通信モードの切り替えができる構成であってもよい。また、相手側端末は、データ通信機能を有する携帯電話の他、ＩＳＤＮ（サービス統合デジタル網）電話や、パーソナルコンピュータであってもよい。
【００３７】
【発明の効果】
以上説明したように、本発明によれば、同じ電話端末本体でアナログ音声通信モード及びデータ通信モードを切り替えて通信できるため、アナログ音声通信とデータ通信とを一種類の回線で切り替えて実行できると共に、一種類の装置で切り替えて実行でき、また、データ通信の途中の不具合発生時においても別途通信手段を準備しなくても、通信モードをアナログ音声通信モードに切り替えるだけで、音声による相互確認ができ、不具合解消が迅速にでき、また効率的な通信の向上ができる。
【００３８】
また、本発明によれば、データ通信モードの前又は途中の段階でアナログ音声通信モード又はデジタル音声通信モードに切り替えることができるため、アナログ音声通信モード又はデジタル音声通信モードで相手側端末にパーソナルコンピュータ等のデジタル情報機器接続状態を確認してからデータ通信モードを開始することができる。
【００３９】
また、本発明によれば、データ通信モードの途中で不具合が発生したときは、アナログ音声通信モードに切り替えることにより、データ通信で使用しているデジタル信号系を避けて、音声により不具合の状況などの確認ができる。
【００４０】
また、本発明によれば、入出力ポートにデジタル情報機器が接続されているときには、デジタル音声通信モードとデータ通信モードのうち、自動的にデータ通信モードに設定するようにしたため、デジタル音声信号とデジタルデータのどちらが受信されたかを確認することなく、自動的にパーソナルコンピュータ等のデジタル情報機器と相手側端末との間で１種類の回線を使用してデータ通信ができる。
【００４１】
また、本発明によれば、装置の入出力ポートにデジタル情報機器が接続されていないときには、デジタル音声通信モードとデータ通信モードのうち、自動的にデジタル音声通信モードに設定するようにしたため、デジタル音声信号とデジタルデータのどちらが受信されたかを確認することなく、自動的に相手側端末との間で１種類の回線を使用したデジタル音声通信への切り替えができる。
【００４２】
更に、本発明によれば、アナログ音声通信モードで相手側端末にデジタル情報機器が接続されているかどうかを確認し、その後にデジタル通信モードで通信し、第１のスイッチから第２のスイッチへ出力されるデジタル信号がデジタル音声信号かデジタルデータかを確認して、デジタル音声通信モード又はデータ通信モードでの通信を、１種類の回線で行うようにしたため、データ通信用通信手段と音声連絡用通信手段の２種類の通信手段を持つことなく、１種類の通信手段により、データ通信が確実にできる。
【図面の簡単な説明】
【図１】本発明の一実施の形態のブロック図である。
【図２】図１の動作説明用フローチャートである。
【符号の説明】
１０　音声／データ切替装置（音声データ連接装置）
１１　デジタル／アナログスイッチ
１２　デジタルスイッチ
１３　アナログスイッチ
１４　コーデック（ＣＯＤＥＣ）
１５　切替制御部
２１　アナログ音声信号入力端子
２２　アナログ音声信号出力端子
２３　データポート
【図１】
2004048413.tif 000003
【図２】
2004048413.tif 000004